(57)【要約】【課題】ＨＤＤＶＤドライブが、最新のＲＭＤを適正に認識できるか、ドライブテストゾーンが拡張されているか、および、ボーダの認識を適正に行えるかを円滑に検証できるテストディスクを提供する。【解決手段】データリードインと、ボーダと、ユーザデータゾーンにそれぞれＲＭＺ（Recording Management Zone）設定され、これらの領域に、ＲＭＤ（Recording Management Data）が、更新前のＲＭＤと更新後のＲＭＤのリンクを保ちつつ更新記録されている。また、最新のＲＭＤの位置を特定する情報がＲＭＤダプリケーションゾーンに記録されている。さらに、ドライブテストゾーンが拡張されていることを示す情報が、最新のＲＭＤに含まれている。加えて、最終のユーザデータ記録位置に続いてボーダ領域が設定され、且つ、このボーダ領域に、さらなるユーザデータの追記が可能であることを示す情報が記録されている。【選択図】図４
2007133954.tif 000002
【特許請求の範囲】
【請求項１】
追記型光ディスク装置の動作検証に用いるテストディスクにおいて、
記録状態を管理する情報（RMD）を記録するための記録管理ゾーン（RMZ）が、データリードイン領域と、セッションの区切り位置にあるボーダ領域と、ユーザデータを記録するユーザデータ領域にそれぞれ設定され、
前記管理情報（RMD）が、前記データリードイン領域、ボーダ領域およびユーザデータ領域に設定された記録管理ゾーン（L-RMZ、B-RMZ、U-RMZ）に、ユーザデータの記録に応じて更新されて記録され、さらに、
最後に更新された前記管理情報（RMD）の位置を特定する情報が前記データリードイン領域内の対応するゾーンに記録されている、
ことを特徴とするテストディスク。
【請求項２】
請求項１において、
記録レーザパワー設定の際に試し書きを行うためのテストゾーンが、記録初期段階に通常設定されるゾーンの他に、別途拡張されて設定され、
前記テストゾーンが拡張されていることを示す情報が、少なくとも最後に更新された前記管理情報（RMD）に含まれている、
ことを特徴とするテストディスク。
【請求項３】
請求項１または２において、
最終のユーザデータ記録位置に続いてボーダ領域が設定され、且つ、このボーダ領域に、さらなるユーザデータの追記が可能であることを示す情報が記録されている、
ことを特徴とするテストディスク。
【請求項４】
請求項１ないし３の何れか一項において、
該テストディスクは、未記録の追記型光ディスクに、前記ユーザデータと前記管理情報を含む情報を記録することにより構成される、
ことを特徴とするテストディスク。
【請求項５】
請求項４において、
試し書き回数が予め設定した上限回数Ｎｓを越えない範囲でレーザパワーの設定を行い、前記ユーザデータと前記管理情報を含む情報が前記未記録の追記型光ディスクに記録される、
ことを特徴とするテストディスク。
【請求項６】
請求項７において、
前記レーザパワーの設定時に行われた試し書きの回数が前記上限回数Ｎｓに達しない場合にも、前記試し書きの回数をＮｓとして、前記管理情報（RMD）が構成され記録されている、
ことを特徴とするテストディスク。
【発明の詳細な説明】
【技術分野】
【０００１】
本発明は、テストディスクに関し、特に、追記型光ディスクドライブの動作検証に用いて好適なものである。
【背景技術】
【０００２】
現在、追記型光ディスクとして、青色波長（波長４０５ｎｍ程度）のレーザ光を用いたＨＤＤＶＤ（High Differential Digital Versatile Disc）の規格化が進められている。
【０００３】
ＨＤＤＶＤ規格では、再生専用のＲＯＭ（Read Only Memory）規格、書き換え型のＲＷ（ReWritable）規格、追記型のＲ（Recordable）規格があり、ディスクのエリアフォーマットや管理情報の種類などが異なっている。また、ＨＤＤＶＤ規格では、再生時にディスク情報の読み出しが容易なように、ディスク種別や、準拠しているブック情報などの情報を複数箇所に保存するようにしている。なお、この規格では、ディスクフォーマットは規定されているが、規定されたフォーマット情報をドライブで用いる場合に、どこの情報を読み出してドライブ動作に作用させるかといったドライブ動作の規定はなされていない。
【０００４】
この追記型ＨＤＤＶＤでは、データリードイン領域とデータリードアウト領域にそれぞれ試し書き領域（ドライブテストゾーン）が設定され、この領域を用いて記録レーザパワーが設定された後、ユーザデータの記録が行われる。
【０００５】
これら２つのドライブテストゾーンのうち、データリードアウト領域側のドライブテストゾーンは、ディスク外周部に位置し記録再生特性が不安定なため、記録レーザパワーの設定には用い難く、通常、ドライブでは、データリードイン側のドライブテストゾーンのみを用いて記録レーザパワーの設定が行われる。しかし、ＨＤＤＶＤに繰り返しファイルを記録した場合には、ドライブテストゾーンが使用し尽くされることが想定され、ＨＤＤＶＤ規格では、このような場合に対応できるよう、これら２つのドライブテストゾーンの他に、別途、ドライブテストゾーンを拡張できるようにしている。この場合、このドライブテストゾーンは、ユーザデータの記録領域の終端部位置に、予め決められた容量だけ拡張される。したがって、ユーザデータの記録容量は、その分、減少することとなる。
【０００６】
なお、ドライブテストゾーンが拡張された場合には、その旨を示す情報が、フラグ情報として、記録管理情報（ＲＭＤ：Recording Management Data）に含まれる。このＲＭＤは、通常、データリードイン内の決められたゾーン（Ｌ−ＲＭＺ：Lead-in Recording Management Zone）に記録される。
【０００７】
なお、ＲＭＤは、ディスクの記録状態を管理するための情報であるため、ファイル記録が行われる度に更新され、Ｌ−ＲＭＺに記録される。すなわち、Ｌ−ＲＭＺは、ＲＭＤが更新される度に消費される。このため、ＲＭＤの更新が繰り返されると、Ｌ−ＲＭＺが使用し尽くされることが想定される。このような場合に対応できるよう、ＨＤＤＶＤ規格では、Ｌ−ＲＭＺの他に、別途、ＲＭＺを追加できるようにしている。ここで、ＲＭＺは、ユーザデータの記録領域の他、セッションの区切り位置に設定されるボーダ（Border）内に設定することもできる。
【０００８】
なお、ＲＭＤが更新されると、更新前のＲＭＤは無効化され、更新後のＲＭＤのみが有効となる。この場合、最新のＲＭＤの位置に関する情報は、データリードインに設定されるＲＭＤダプリケーションゾーンに記録される。したがって、最新のＲＭＤの位置は、ＲＭＤ間に張られたリンクを辿る方法の他、ＲＭＤダプリケーションゾーンに記録された情報から特定することもできる。
【０００９】
このように追記型ＨＤＤＶＤでは、ディスクの管理情報であるＲＭＤを、初期に設定されたデータリードインエリア以外にも、ユーザエリア内のボーダやユーザデータ領域にＢ−ＲＭＺ（Border - Recording Management Zone）やＵ−ＲＭＺ（User - Recording Management Zone）を拡張して、記録することができる。このため、ユーザデータを記録したドライブと後にこれを再生するドライブが異なっている場合等においても、ドライブが最新のＲＭＤを読み出して記録したディスク情報を正確に認識できなければ、ドライブ同士の互換性が失われる危険がある。そのため、追記型ＨＤＤＶＤを扱うドライブでは、動作検証を行う必要が生じている。
【００１０】
このようなことから、ＨＤＤＶＤの規格化においては、ＨＤＤＶＤドライブの動作検証を行うことが提案されている。
【００１１】
かかる動作検証のうち、再生動作の検証では、最新のＲＭＤをそのドライブが認識できるかが重要な要素となる。最新のＲＭＤを適正に認識できなければ、ディスクの記録状態を把握することができず、円滑な記録動作を実行することができない。たとえば、不適正な位置から記録動作を開始するとの惧れがある。
【００１２】
また、この検証では、ドライブテストゾーンが拡張されているかを適正に認識できるかが重要な要素となる。この認識が不適正であると、ドライブテストゾーンが拡張されユーザデータの記録容量が減少しているにも拘わらず、誤認識により、データ容量はそのままであるとして、ドライブテストゾーンが拡張されている領域に、ユーザデータの記録が行われてしまう惧れがある。
【００１３】
さらに、この検証では、ボーダの認識を適正に行えるかが重要な要素となる。ＨＤＤＶＤにおけるボーダは、ＤＶＤと同様、ボーダ・アウトとボーダ・インに区別される。このうち、ボーダ・アウトには、ＤＶＤと異なり、更なる追記の可否を示す情報を記録することができる。よって、これを適正に認識できないと、追記可であるのに追記が禁止され、あるいは、追記不可であるのに、誤って追記が行われるとの不具合が生じる。なお、上記の如くボーダにＲＭＺを追加する場合には、ボーダ・インにＲＭＺ（B-RMZ）が設定される。
【００１４】
なお、Ｂ−ＲＭＺ、Ｕ−ＲＭＺ、ドライブテスト領域の拡張、追記の可否等を適正に認識できるかの検証において、それぞれの項目ごとにテストディスクを準備していくと、テストディスクの枚数が多量になり、検証作業が煩雑になる惧れがある。また、テストディスクを作製する場合には、記録マークや記録情報に誤りのない非常に理想的なディスクを提供する必要があり、複数種類のテストディスクを作製すると、その分、コストや時間を費やしてしまうとの問題も生じる。
【特許文献１】特開２０００−３０６２４４号公報
【発明の開示】
【発明が解決しようとする課題】
【００１５】
そこで、本発明は、ＨＤＤＶＤドライブが、最新のＲＭＤを適正に認識できるかを円滑に検証できるテストディスクを提供することを課題とする。
【００１６】
また、本発明は、ＨＤＤＶＤドライブが、ドライブテストゾーンが拡張されていることを適正に認識できるかを円滑に検証できるテストディスクを提供することを課題とする。
【００１７】
加えて、本発明は、ＨＤＤＶＤドライブが、ボーダの認識を適正に行えるかを円滑に検証できるテストディスクを提供することを課題とする。
【課題を解決するための手段】
【００１８】
上記課題に鑑み本発明は、以下の特徴を有する。
【００１９】
請求項１の発明は、追記型光ディスク装置の動作検証に用いるテストディスクにおいて、記録状態を管理する情報（RMD）を記録するための記録管理ゾーン（RMZ）が、データリードイン領域と、セッションの区切り位置にあるボーダ領域と、ユーザデータを記録するユーザデータ領域にそれぞれ設定され、前記管理情報（RMD）が、前記データリードイン領域、ボーダ領域およびユーザデータ領域に設定された記録管理ゾーン（L-RMZ、B-RMZ、U-RMZ）に、ユーザデータの記録に応じて更新されて記録され、さらに、最後に更新された前記管理情報（RMD）の位置を特定する情報が前記データリードイン領域内の対応するゾーン（ＲＭＤダプリケーションゾーン）に記録されていることを特徴とする。
【００２０】
この発明によれば、検証対象ドライブが管理情報（RMD）間のリンクを辿りながら最新の管理情報（RMD）を認識するタイプのものである場合に、データリードイン領域、ボーダ領域およびユーザデータ領域にそれぞれ設定された記録管理ゾーン（L-RMZ、B-RMZ、U-RMZ）を辿りながら、最終的に最新の管理情報（RMD）を適正に認識できるかを検証することができる。また、検証対象ドライブがデータリードイン領域内の他のゾーン（ＲＭＤダプリケーションゾーン）に記録されている情報から最新の管理情報（RMD）を認識するタイプのものである場合にも、この処理動作によって適正に最新の管理情報（RMD）を認識できるかを検証することができる。
【００２１】
請求項２の発明は、請求項１のテストディスクにおいて、記録レーザパワー設定の際に試し書きを行うためのテストゾーンが、記録初期段階に通常設定されるゾーンの他に、別途拡張されて設定され、前記テストゾーンが拡張されていることを示す情報が、少なくとも最後に更新された前記管理情報（RMD）に含まれていることを特徴とする。
【００２２】
この発明によれば、最後に更新された前記管理情報（RMD）の認識が可能な場合に、さらにこの管理情報（RMD）をもとに、テストゾーンが拡張されていることを適正に認識できるかを検証することができる。
【００２３】
請求項３の発明は、請求項１または２のテストディスクにおいて、最終のユーザデータ記録位置に続いてボーダ領域が設定され、且つ、このボーダ領域に、さらなるユーザデータの追記が可能であることを示す情報が記録されていることを特徴とする。
【００２４】
この発明によれば、ボーダ領域と、そこに記録されているユーザデータの追記の可否を示す情報を適正に認識できるかを検証することができる。
【００２５】
請求項４の発明は、請求項１ないし３の何れか一項に記載のテストディスクおいて、該テストディスクは、未記録の追記型光ディスクに、前記ユーザデータと前記管理情報を含む情報を記録することにより構成されることを特徴とする。
【００２６】
この発明によれば、通常の追記型ディスクと同じレベルのディスクを用いてテストデータが構成されるため、そのドライブが、通常の追記型ディスクを円滑に再生できるかを検証することができる。
【００２７】
請求項５の発明は、請求項４のテストディスクにおいて、試し書き回数が予め設定した上限回数Ｎｓを越えない範囲でレーザパワーの設定を行い、前記ユーザデータと前記管理情報を含む情報が前記未記録の追記型光ディスクに記録されることを特徴とする。
【００２８】
上記請求項４に示すように未記録の追記型ディスクにユーザデータと管理情報を含む情報を記録してテストディスクを構成する場合には、記録に先立って、試し書きによる記録レーザパワーの設定処理が行われる。この場合、試し書きの回数は、各ディスクによってまちまちであり、粗悪なディスクほど、試し書き回数が増加することとなる。粗悪なディスクをテストディスクとして用いると、ドライブの検証を適正に行うことができない。
【００２９】
請求項５の発明によれば、レーザパワーの設定時の試し書き回数が上限回数Ｎｓを越えない範囲に制限されるため、粗悪なディスクに対しては、レーザパワーの設定が行われない。その結果、このディスクに対する記録動作は行われず、このような粗悪なディスクを用いてテストディスクが構成されることが排除される。よって、本発明によれば、ドライブの動作検証を適正に行い得るテストディスクのみを提供することが可能となる。
【００３０】
なお、上限回数Ｎｓを調整することにより、試し書き領域のどこまでを使用済みにするかを規定することが可能となる。すなわち、上限回数Ｎｓを少なく抑えることにより、たとえば、ディスク内周部の試し書き領域（ドライブテストゾーン）にのみ試し書きを行った状態で、ディスク外周部の試し書き領域（ドライブテストゾーン）は常に未記録の状態とすることができ、ディスクの状態（記録特性、等）によって外周の試し書き領域（ドライブテストゾーン）まで試し書きに使用したようなテストディスクが現れないようにすることができる。
【００３１】
請求項６の発明によれば、請求項５のテストディスクにおいて、前記レーザパワー設定時に行われた試し書きの回数が前記上限回数Ｎｓに達しない場合にも、試し書きの回数をＮｓとして、記録管理情報（RMD）が構成され記録されていることを特徴とする。
【００３２】
この発明によれば、レーザパワー設定時に行われた試し書き回数がテストディスク毎に異なる場合にも、同一の回数（Ｎｓ）だけ試し書きが行われたとして、管理情報が構成される。よって、ドライブ側から見たとき、全てのテストディスクに対し同じ状態の管理情報（RMD）を提示することができる。
【発明の効果】
【００３３】
以上のとおり本発明によれば、検証対象ドライブが、最新の管理情報（RMD）を適正に認識できるかを円滑に検証できるテストディスクを提供することができる。
【００３４】
また、記録レーザパワー設定の際に試し書きを行うためのテストゾーンが拡張されていることを適正に認識できるかを円滑に検証できるテストディスクを提供することができる。
【００３５】
加えて、ボーダの認識を適正に行えるかを円滑に検証できるテストディスクを提供することができる。
【００３６】
なお、テストディスクを用いて検証を行う場合に、使用するテストディスク毎に記録状態が相違していると、ディスクの認識を適正に行えなかった場合などに、ドライブのどの部分に不具合があるのか、短時間で見つけることが困難である。この点、たとえば、ＲＭＤの更新回数やドライブテストゾーンの使用回数などを一定回数と設定して同じ状態でテストディスクを作製すれば、テスト条件を一律化することができ、ドライブの不具合を同一条件のもとで調べることができるようになる。また、こうすると、各ドライブメーカでのテストに互換性を持たせることができるとの効果も奏される。
【００３７】
また、本発明によれば、ボーダとＲＭＤ領域の拡張、および、ドライブテストゾーンの拡張を１枚のディスクで検証できるため、ドライブテストに用いるテストディスクの枚数を少なくすることが可能となる。
【００３８】
本発明の意義ないし効果は、以下に示す実施の形態の説明により更に明らかとなろう。ただし、以下の実施の形態は、あくまでも、本発明の一つの実施形態であって、本発明ないし各構成要件の用語の意義は、以下の実施の形態に記載されたものに制限されるものではない。
【発明を実施するための最良の形態】
【００３９】
以下、本発明の実施の形態につき図面を参照して説明する。なお、本実施例は、追記型ＨＤＤＶＤのドライブ装置を検証する際に用いるテストディスクに本発明を適用したものである。
【００４０】
まず、図１に実施の形態に係るテストディスクの構成を示す。図示の如く、テストディスク１０は、記録層１２と反射層１３が積層された基板１１の上に、接着層１４を介して、基板１５を張り合わせ、さらに、その上に、印刷層１６を形成した構成となっている。
【００４１】
基板１１、１５は、ポリカーボネートからなっている。基板材料は、ＨＤＤＶＤドライブで用いられる波長４００ｎｍ程度のレーザ光を透過しやすい材料とするのが好ましい。基板材料として、ポリオレフィンやポリ乳酸等の生分解材料を用いることもできる。
【００４２】
基板１１、１５は、共に、射出成型により形成される。このうち、基板１１は、テストディスクのトラックパターン（ピット、グルーブ）を有するスタンパを用いて形成される。基板１１の表面には、スタンパ上のトラックパターンが転写される。これら基板１１、１５は、共に、０．６ｍｍの厚みとされている。
【００４３】
記録層１２は、有機色素材料により構成される。この有機色素材料は、記録マーク部分の反射率が未記録部分の反射率よりも高くなる、いわゆる、Low-to-High型の有機色素材料とされる。なお、記録層１２に用いる有機色素材料は、記録マーク部分の反射率が未記録部分の反射率よりも低くなる、いわゆる、High-to-Low型の有機色素材料を用いることもできる。また、相変化型の材料であってもよく、Pd-CUや、Co系、Ag-Pd-Cu等であっても良い。ただし、記録層１２に用いる材料は、書き換えできないタイプのものに制限される。
【００４４】
記録層１２は、スピンコートによって、基板１２のトラックパターン転写面上に形成される。
【００４５】
反射層１３は、Ａｇ等の高反射材料から構成される。この他、波長４００ｎｍ程度のレーザ光に対して高反射率のＡｌ、Ｐｔ等を用いることもできる。反射層１３は、スパッタリングによって、記録層１２上に形成される。
【００４６】
図２に、テストディスク１０のエリアフォーマットを示す。
【００４７】
テストディスク１０は、内周から順に、クランプ領域２１、バーストカッティング領域（ＢＣＡ）２２、システムリードイン領域２３、データ領域２４、システムリードアウト領域２５にエリア分割されている。
【００４８】
ＢＣＡ２２には、ＨＤＤＶＤ−Ｒ規格に従う形態にて、所定の情報が記録されている。具体的には、平坦な記録層１２をディスク円周方向に沿って間欠的に消失させることにより、BCA IDや、当該テストディスクが準拠する規格書のブック番号等の情報が記録されている。なお、記録層１２の消失は、高パワーレーザを用いて記録層１２を焼き切る方法等にて行われる。
【００４９】
ＢＣＡ２２上にビームスポットを位置づけると、その反射光には、記録層１２の消失部分と非消失部分に応じて、明暗が生じる。この明暗の変化を復調することにより、ＢＣＡ２２に記録された情報が再生される。
【００５０】
システムリードイン領域２３には、ＨＤＤＶＤ−Ｒ規格に従う形態にて、所定の情報が記録されている。具体的には、記録層１２上に螺旋状にピット列を配列することにより、当該テストディスクの物理パラメータ（ピットサイズ、トラックピッチ、等）に関する情報等が記録されている。システムリードイン領域２３にはグルーブは形成されておらず、ピット列のみが形成されている。
【００５１】
データ領域２４には、螺旋状のグルーブが形成されている。このグルーブ上に、ＨＤＤＶＤ−Ｒ規格に従うフォーマットにて、種々のデータが記録される。当該テストディスク形成時には、未記録のグルーブ上に、後述のデータが記録される。なお、追記型ＨＤＤＶＤでは、グルーブのみにデータが記録されるため、グルーブ間のランドは、狭小に形成されている。
【００５２】
グルーブは、ディスク径方向に蛇行（ウォブル）している。このウォブルによって物理アドレスが保持されている。なお、記録データには、この物理アドレスとは別に、論理アドレスが保持される。
【００５３】
システムリードアウト領域２４には、データ領域２４と同様、螺旋状のグルーブが形成されている。また、このグルーブも、データ領域２４と同様、ディスク径方向に蛇行（ウォブル）している。システムリードアウト領域２４には、ＨＤＤＶＤ−Ｒ規格に従うフォーマットにてゾーンが設定されるが、ユーザデータは記録されない。
【００５４】
図３に、テストディスク１０のデータ領域２４に記録されるデータのデータフォーマットを示す。上記の如く、このデータフォーマットは、ＨＤＤＶＤ−Ｒ規格に準拠するものである。
【００５５】
図示の如く、テストディスク１０のデータ領域２４には、データリードインとデータリードアウトが記録され、その間に、一定容量の未記録領域を残して、ユーザデータ（テストデータ）等、各種データが記録される。
【００５６】
データリードインには、ドライブテストゾーンが設定されている。ユーザデータの記録時には、このドライブテストゾーンを使って試し書きが行われ、再生・フォーカスオフセット、トラックオフセット、記録レーザパワーの初期値が設定される。データリードインには、上記システムリードイン２３に保持されている情報がコピー記録される。データリードアウトには、そこがデータリードアウトであることを示す属性情報が設定されている。ここで属性情報とは、データフレーム毎に管理されていて、そのフレームがディスクのデータ、データリードイン、データリードアウトのどのエリアに属しているかを示すものである。
【００５７】
図４に、テストディスク１０におけるデータ領域のデータ構造を示す。
【００５８】
データリードインには、ＲＭＤ（Recording Management Data）ダプリケーションゾーンと、Ｌ−ＲＭＺ（Lead-in Recording Management Zone）が設定されている。Ｌ−ＲＭＺには、データの記録状態を関する情報（ＲＭＤ）が記録される。このＲＭＤには、そのＲＭＤ作成時におけるユーザデータの最終の記録アドレスや、更新された次のＲＭＤを特定するための情報等が格納されている。なお、ＲＭＤは、ユーザデータの記録動作の度に更新され、Ｌ−ＲＭＺに追記される。Ｌ−ＲＭＺには、ＨＤＤＶＤ−Ｒ規格に従って、所定個数のＲＭＤを記録できる容量が割り当てられている。
【００５９】
ＲＭＤダプリケーションゾーンには、現在有効な最新のＲＭＤとそのアドレスを示す情報等、ＲＭＤに関する情報が記録されている。この他、当該テストディスク１０に記録を行ったドライブに関する情報（Unique ID）や、その記録を行った時間（Time Stamp）等の情報が記録されている。
【００６０】
本テストディスク１０では、データリードインに続いて、ユーザデータゾーン、ボーダ・アウト、ボーダ・イン、ユーザデータゾーンおよびボーダ・アウトが順次設定されている。また、最後のボーダ・アウトとデータリードアウトの間に、一定容量の未記録領域が残されている。
【００６１】
最初のユーザデータゾーンには、所定容量のファイル情報が所定個数記録されている。このユーザデータゾーンに記録された情報に関するＲＭＤが、データリードインのＬ−ＲＭＺに記録されている。同様に、このＲＭＤに関する情報が、ＲＭＤダプリケーションゾーンに記録されている。
【００６２】
このユーザデータゾーンに続いてボーダ・アウトとボーダ・インが設定され、セッションが区切られている。このうち、ボーダ・アウトを構成する情報には、“追記可”を示す情報が含まれている。また、ボーダ・インには、ＲＭＺ（B-RMZ）が設定されている。したがって、データリードインのＬ−ＲＭＺは、Ｂ−ＲＭＺにリンクするようにしてクローズ（無効化）されている。これに関する情報は、ＲＭＤダプリケーションゾーンに追記されている。
【００６３】
ボーダ・インに続いて、所定容量の数個のファイル情報からなるユーザデータが記録されている。このファイル情報の記録に応じて、ボーダ・イン内のＢ−ＲＭＺにＲＭＤが追記されている。ここで、Ｕ−ＲＭＺはＲＭＺが所定の残り個数になるまで設定できないため、Ｂ−ＲＭＺは、新たにユーザデータゾーン内にＲＭＺ（U-RMZ）を設定可能となるレベルまで、ＲＭＤの追記により消費されている。すなわち、記録されるファイル情報の個数は、Ｂ−ＲＭＺがＲＭＤの更新追記によってこのように消費されるだけの個数に設定されている。
【００６４】
かかるファイル情報の記録に続き、当該ユーザデータゾーン内にＲＭＺ（U-RMZ）が設定されている。したがって、ボーダ・イン内のＢ−ＲＭＺは、Ｕ−ＲＭＺにリンクするようにしてクローズ（無効化）されている。これに関する情報は、ＲＭＤダプリケーションゾーンに追記されている。
【００６５】
このＵ−ＲＭＺに続いて、所定個数のファイル情報からなるユーザデータが記録されている。このファイル情報の記録に応じて、ユーザデータゾーン内のＵ−ＲＭＺにＲＭＤが追記されている。また、これに関する情報は、ＲＭＤダプリケーションゾーンにも追記されている。
【００６６】
かかるユーザデータの終端に続いて、ボーダ・アウトが記録されている。このボーダ・アウトを構成する情報には、“追記可”を示す情報が含まれている。かかるボーダ・アウトの後には、一定容量の未記録領域が残されている。
【００６７】
かかる未記録領域に続き、データリードアウト内に、ガードゾーンが設定されている。そして、これに続いて、拡張されたドライブテストゾーン（拡張ドライブテストゾーン）が設定されている。さらにこれに続いて、通常のドライブテストゾーン、ディスクテストゾーンおよびガードトラックゾーンが設定されている。このように、本テストディスクでは、通常のドライブテストゾーンの他に、別途、ドライブテストゾーンが拡張されている。ドライブテストゾーンが拡張されていることを示す情報は、Ｕ−ＲＭＺ内の最新のＲＭＤにフラグ情報として保持されている。
【００６８】
なお、データリードアウトには、上記の如く、そこがデータリードアウトであることを示す属性情報が記録されている。しかし、データリードアウトのうち、図４に示す各ゾーンには情報が記録されておらず、単に、アドレスの管理情報としてこれらのゾーンが設定されているのみであってもよい。また、ドライブテストゾーンも拡張ドライブテストゾーンも未使用状態とされている。
【００６９】
図５に、テストディスクの生成方法を示す。
【００７０】
図５（ａ）は、テストディスクの生成工程の基本的な流れを示すものである。
【００７１】
まず、上記図１を参照して説明した如くして未記録の追記型ＨＤＤＶＤが生成される（Ｓ１０）。このとき、ＨＤＤＶＤのＢＣＡ２２は、未だカッティングされていない状態となっている。
【００７２】
次に、この未記録のＨＤＤＶＤの機械特性が適正範囲内であるかが検査される（Ｓ２０）。具体的には、ディスク面の反り状態や、記録層の形成状態等が検査される。機械特性が適正なＨＤＤＶＤのみが、テストディスクの母体として用いられる。
【００７３】
しかる後、このＨＤＤＶＤに高パワーレーザを照射して、ＢＣＡ２２に対するカッティングが行われる（Ｓ３０）。さらに、データ領域２４に、上記図３および図４にて示すフォーマットにて、各種データが記録される（Ｓ４０）。このとき、Ｌ−ＲＭＺ、Ｂ−ＬＭＺおよびＵ−ＲＭＺには、順次記録手順に応じてＲＭＤが更新記録される。なお、ＲＭＤには、ドライブテストゾーンの使用状態に関する情報が含まれている。
【００７４】
データの書き込みが終了すると、次に、データが適正に記録されたかが検査される（Ｓ５０）。具体的には、テストディスクを再生したときのＰＲＳＮＲ（Partial Response Signal to Noise Ratio）が所定の基準値以下であるか、および、フラグ情報等、各種ビット情報が正確であるか等が検査される。この検査にて、不良判定されないもののみが、ＨＤＤＶＤドライブの検査に利用可能なテストディスクとされる。
【００７５】
図５（ｂ）は、図５（ａ）のＳ４０の詳細を示すものである。
【００７６】
データ書き込み時には、まず、記録レーザパワー設定の際に行う試し書き回数の上限値がＮｓに設定される（Ｓ４１）。そして、この上限回数Ｎｓを越えない範囲でドライブテストゾーンに試し書きが行い、適宜、記録レーザパワー、サーボ情報が設定され、ユーザデータ、データリードインデータ、データリードアウトデータ等、図４に示す構造のデータが記録される（Ｓ４２、４３）。
【００７７】
このとき、ＲＭＺに記録されるＲＭＤのうち、ドライブテストゾーンの使用状態に関する情報は、ドライブテストゾーンに対する全試し書き回数が上限回数Ｎｓに達しない場合にも、一律に、上限回数Ｎｓに到達したとして設定される。これは、テストディスク間で同じ状態を実現するために行うもので、これにより記録後の状態を同じにして、テストディスク同士の互換性を確保する。また、記録レーザパワー設定時の試し書き回数がモニターされ（Ｓ４４）、試し書きの総回数が上限回数Ｎｓを越えることとなる場合に（Ｓ４５：ＮＯ）、このディスクは不良と判別して、データの書き込みが中止される。
【００７８】
なお、図５のフローでは、ＢＣＡをテストディスク作成時に付加するとしたが、機械特性などを評価する前にあらかじめＢＣＡが形成してあっても良い。
【００７９】
図６に、上記の如くして生成したテストディスク１０を用いてＨＤＤＶＤドライブを検証する際のフローチャートを示す。
【００８０】
検証対象のＨＤＤＶＤドライブ（ターゲットドライブ）にテストディスク１０が装着されると、当該ターゲットドライブに接続された評価装置（ＰＣ端末、等）から、ターゲットドライブに対し、当該テストディスクのディスク構造を問い合わせるコマンドが送信される（Ｓ３０１）。このコマンドに対する応答が無ければ（Ｓ３０２：ＮＯ）、当該ターゲットドライブは、不適正ドライブとされる。一方、ターゲットドライブから応答があれば（Ｓ３０２：ＹＥＳ）、評価装置は、ターゲットドライブから受信したディスク構造に関する情報のうち追記の可否を示す情報が“追記可”となっているかを照合する（Ｓ３０３）。具体的には、ターゲットドライブにて認識されたディスク状態が、“追記可”の情報を含むボーダ・アウトであるかを判別する。
【００８１】
ターゲットドライブから受信したディスク構造が不適正である場合（Ｓ３０４：ＮＯ）、当該ターゲットドライブは、不適正ドライブとされる。一方、ターゲットドライブから受信したディスク構造が適正であれば（Ｓ３０４：ＹＥＳ）、当該ターゲットドライブは、ボーダ・アウトが“追記可”となっていることを適正に認識できると判定する（Ｓ３０５）。
【００８２】
上記検証フローを実行した後、または、上記検証フローと並行して、評価装置からターゲットドライブに対し、追記開始アドレスを問い合わせるコマンドが送信される（Ｓ３１１）。このコマンドに対する応答が無ければ（Ｓ３１２：ＮＯ）、当該ターゲットドライブは、不適正ドライブとされる。一方、ターゲットドライブから応答があれば（Ｓ３１２：ＹＥＳ）、評価装置は、ターゲットドライブから受信した追記開始アドレスと、テストディスク１０に設定されているはずの追記開始アドレス（参照開始アドレス）を照合する（Ｓ３１３）。ここで、両データが不一致の場合（Ｓ３１４：ＮＯ）、当該ターゲットドライブは、不適正ドライブとされる。一方、両データが一致すれば（Ｓ３１４：ＹＥＳ）、当該ターゲットドライブは、最新のＲＭＤを認識でき、且つ、このＲＭＤから追記開始アドレスを適正に認識できると判定する（Ｓ３１５）。
【００８３】
さらに、上記検証フローを実行した後、または、上記検証フローと並行して、評価装置からターゲットドライブに対し、追記できる残容量（未記録容量）を問い合わせるコマンドが送信される（Ｓ３２１）。このコマンドに対する応答が無ければ（Ｓ３２２：ＮＯ）、当該ターゲットドライブは、不適正ドライブとされる。一方、ターゲットドライブから応答があれば（Ｓ３２２：ＹＥＳ）、評価装置は、ターゲットドライブから受信した残容量と、テストディスク１０に残されているはずの残容量（参照残容量）を照合する（Ｓ３２３）。
【００８４】
ここで、残容量は、ターゲットドライブにおいて、追記開始アドレスとドライブテストゾーンの拡張の有無に基づいて算出される。すなわち、ドライブテストゾーンが未拡張のときにユーザデータを記録できる最終アドレスから追記開始アドレスを減算し、さらに、ドライブテストゾーンが拡張されている場合には、その拡張に用いられる容量を、先の減算結果からさらに減算することにより、当該ディスクの残容量が求められる。したがって、ターゲットドライブにおいて、当該テストディスク１０に記録されている最新のＲＭＤから追記開始アドレスを認識でき、且つ、このＲＭＤに含まれているドライブテストゾーンの拡張フラグを認識できれば、当該テストディスク１０の残容量を適正に取得することができる。
【００８５】
Ｓ３２３の照合において、両容量が不一致の場合（Ｓ３２４：ＮＯ）、当該ターゲットドライブは、不適正ドライブとされる。一方、両データが一致すれば（Ｓ３２４：ＹＥＳ）、当該ターゲットドライブは、最新ＲＭＤ内の拡張フラグを適正に認識できると判定される（Ｓ３２５）。
【００８６】
以上のようにして、各コマンドについての検証が終了すると、最後に、それぞれの検証結果が、Ｓ３０５、Ｓ３１５、Ｓ３２５にて、適正であると判定されたかが評価される（Ｓ３３０）。そして、全ての検証結果が適正であれば、当該ターゲットドライブは、当該テストディスク１０を用いた検証に合格したとされる。
【００８７】
以上、本実施の形態によれば、テストディスク１０を用いることにより、ターゲットドライブが、Ｕ−ＲＭＺ内にある最新のＲＭＤを適正に認識できるか、また、ドライブテストゾーンが拡張されているかを適正に認識できるか、さらに、ボーダ・アウトが“追記可”になっていることを適正に認識できるかを円滑に検証することができる。
【００８８】
なお、上記実施の形態では、Ｓ３０３、Ｓ３１３、３２３およびＳ３３０における照合を評価装置内にて行うようにしたが、これらの検証は、たとえば、ターゲットドライブから受信したデータを評価装置のモニター上に表示させ、このデータと、テストディスク１０に記録されているはずの参照データとを、ユーザが目視等により照合して行うようにすることも可能である。
【００８９】
本発明は、上記実施の形態に限定されるものでないことは言うまでもない。
【００９０】
たとえば、図７に示す如く、ユーザデータの終端に続くボーダ・アウトを省略することもできる。この場合、ターゲットドライブは、ＲＭＤ内のファイナライズの状態が追記禁止になっていないことなどから、当該テストディスクが追記可の状態にあると判断できる。なお、この場合も、追記の可否は、上記Ｓ３０１〜３０５の場合と同様、ディスク構造を問い合わせるコマンドに応じて、ターゲットドライブから評価装置に送信される。
【００９１】
また、Ｕ−ＲＭＺは１箇所に限らず、たとえば、図８に示すように、最初のユーザデータゾーン内にも設定するようにしても良い。なお、この場合、２つ目のユーザデータゾーン内にＵ−ＲＭＺを設定しないようにしても良い。
【００９２】
また、上記実施の形態では、通常の追記型ＨＤＤＶＤと同様、ポリカーボネートを基板材料としたディスクを用いてテストディスクを生成することを想定しているが、テストディスクはガラス基板上に追記可能な材料・構成を有するようにして作製してもよく、その場合、ポリカーボネート基板で問題となるチルトなどの問題を低減することができ、また、温度変化に対してもチルト変化量が少なく有利である。
【００９３】
また、上記実施の形態では、ブランクの追記型ＨＤＤＶＤに記録を行ってテストディスクを作製するとしたが、ウォブルを持ったグルーブ内の表面構造を変化させたスタンパをあらかじめ作製し、これをもとに基板を生成した後、その反射率が規格に準拠するように調整された反射層を形成するようにすれば、記録という工程を経ずにＨＤＤＶＤ−Ｒ規格に準拠したテストディスクを作製することが可能となる。しかし、この場合は、実際にユーザが用いるディスクとテストディスクで構造が異なることとなるため、テスト結果が、実際にユーザが用いる追記型ＨＤＤＶＤに応じたものから、やや乖離することも考えられる。したがって、テスト結果を実際にユーザが用いる追記型ＨＤＤＶＤに応じたものとするためには、上記実施の形態で示すように、ブランクの追記型ＨＤＤＶＤに記録を行ってテストディスクを作製する方が望ましい。
【００９４】
本発明の実施の形態は、特許請求の範囲に示された技術的思想の範囲内において、適宜、種々の変更が可能である。
【図面の簡単な説明】
【００９５】
【図１】実施の形態に係るテストディスクの層構造を示す図
【図２】実施の形態に係るテストディスクのエリア分割を示す図
【図３】実施の形態に係るテストディスクのデータフォーマットを示す図
【図４】実施の形態に係るテストディスクのデータフォーマットを示す図
【図５】実施の形態に係るテストディスクの製造工程を示すフロー図
【図６】実施の形態に係るターゲットドライブの検証方法を示すフロー図
【図７】他の実施の形態に係るテストディスクのデータフォーマットを示す図
【図８】他の実施の形態に係るテストディスクのデータフォーマットを示す図
【符号の説明】
【００９６】
１０  テストディスク
２４  データ領域
【図１】
2007133954.tif 000003
【図２】
2007133954.tif 000004
【図３】
2007133954.tif 000005
【図４】
2007133954.tif 000006
【図５】
2007133954.tif 000007
【図６】
2007133954.tif 000008
【図７】
2007133954.tif 000009
【図８】
2007133954.tif 000010